(57)【要約】      （修正有）【課題】時計又は携帯電話スマートフォンをセットすることが可能な超小型支持装置であり、携帯性と設置時の視認性を満足する。【解決手段】時計の文字盤の裏側、又はスマートフォン型携帯電話での横表示の場合の背面で支える超小型支持装置１であって、水平面より６０〜７５度傾斜させた該時計又は携帯電話の固定部となる荷重受容部材４を有し、全高の４０〜６０％の位置、幅２０〜３０ｍｍの位置に、厚さが１〜５ｍｍ、摩擦係数が０．５〜３．０のシリコンゴムシートを有し、さらに荷重受容部材４の反対側が水平面より７０〜８５度の角度で摩擦係数が０．５〜３．０のシリコンゴムシートを貼付した、縦３０〜４０ｍｍ、横１５〜３０ｍｍ、高さが３０〜６０ｍｍの台形山形形状であることを特徴とする超小型支持装置１とする。【選択図】図１
2014009978.tif 000002
【特許請求の範囲】
【請求項１】
時計の文字盤の裏側、又はスマートフォン型携帯電話での横表示の場合の背面で支える超小型支持装置であって、水平面より６０〜７５度傾斜させた該時計又は携帯電話の固定部となる荷重受容部材を有し、全高の４０〜６０％の位置、幅２０〜３０ｍｍの位置に、厚さが１〜５ｍｍ、摩擦係数が０．５〜３．０のシリコンゴムシートを有し、さらに荷重受容部材の反対側が水平面より７０〜８５度の角度で摩擦係数が０．５〜３．０のシリコンゴムシートを貼付した斜面を有し、縦３０〜４０ｍｍ、横１５〜６０ｍｍ、高さが３０〜８０ｍｍの台形山形形状であることを特徴とする超小型支持装置。
【請求項２】
時計又は多機能時計でもあるスマートフォン型携帯電話と支持装置を固定するための長さが調整可能な紐を有することを特徴とする請求項１に記載の超小型支持装置。
【請求項３】
請求項1記載の超小型支持装置に、時計がセットされ幅が５０〜６０ｍｍで一体型仕事用時計。
【請求項４】
底部に、底部と平行な水平方向に単三電池を格納し立てた時の高さが６５〜８０ｍｍであることを特徴とする請求項３に記載の仕事用時計。
【請求項５】
木材、シリコンゴム、ウレタン、ゴム、ＣＦＲＰ，ジュラルミン、アルミニウム、チタン、プラスチック、動物の牙からなる荷重受容部材であることを特徴とする請求項１又は２に記載の超小型支持装置。
【請求項６】
電子タグを埋め込んだことを特徴とする請求項１又は２に記載の超小型支持装置。
【発明の詳細な説明】
【技術分野】
【０００１】
携帯電話スマートフォンの視聴を容易にしたり、仕事用の時計の文字盤を見やすくするために、これら装置を実質的水平面より立てるための技術に関する。
【背景技術】
【０００２】
置き型の携帯電話用スタンドやスタンド一体型の機器専用充電器は多く市販されている。また可動型支持部を持つ懐中時計や旅行用時計も多く市販されている。
企業人にとって困る問題に、腕時計を装着すると、スーツ、ワイシャツの袖口が痛む問題がある。多くの場合、左腕袖口のみボロボロとなってしまう。
これを避けるために携帯電話スマートフォンの時計機能を活用している者は多いが、携帯の画面の時計は表示が小さいことが多く、日光が表示画面に当たる屋外では、時間を判読するのが大変である。袖口が痛む不都合を避けるべく腕時計をしないために時間の有効活用の効率が落ち、仕事の品質が落ちている。
【０００３】
従来の事務作業とは、実質水平面の机上に広げた書類で作業をすることを指していた。現代では、ほぼ直立した角度のコンピューター用ディスプレイで大半の作業を行っている、このような作業姿勢の場合、平面上に時計の文字盤があると、時間の視認が面倒である。昔は机に向かうと言っていたが、今はパソコンに向かうである。視線の移動を最小限にするために、ほぼ直立した角度のコンピューター用ディスプレイと同じ平面上に時計の文字盤が欲しい。
【０００４】
Ｇ−ｓｈｏｃｋ等のスポーツ時計は、楽しめる商品が多く、機能も多種多様であるが、いかんせんスーツには、合わない場合が多い、平日はスポーツ時計よりベルトを外し、懐中時計としてを使用したい。
ワンセグ放送が開始され、携帯電話スマートフォンで番組を視聴する国民が増えたが、大体１５０ｇ以下の重量で軽量な携帯電話でも、長時間手に持って視聴するのは疲れる。スマートフォン等の携帯電話でワンセグＴＶなどの動画を視聴する際、手で持つことなく見やすい視聴角度で視聴出来、携帯性や充電プラグへの接続を極力損なわない超小型スタンドが求められている。置き型の携帯電話用スタンドやスタンド一体型の機器専用充電器は多く見られるが、日常的にこれらを持ち歩くには大きすぎ不便な製品が多い。
例えば、特許文献1にはスタンド本体に両面テープなどの粘着材を貼りつけて、携帯電話などのモバイル機器に取付け使用する薄型のスタンドが、特許文献２にはスマートフォンスタンドが開示されているが、いずれも単機能であり、携帯性と視認性を合わせて持つものは知られていない。
【先行技術文献】
【特許文献】
【０００５】
【特許文献１】特開２０１１−１１４８５４号公報
【特許文献２】登録実用新案第３１７４４３３号公報
【発明の開示】
【発明が解決しようとする課題】
【０００６】
本発明は従来の懐中時計が有する特性である携帯には向いているが、水平に机の上に置いた場合は文字盤が読みづらく、携帯電話スマートフォンに備わっている時計機能を活用する場合はスマートフォンの時間表示は、多くの場合表示が小さく、屋外では、太陽光で表示画面が光り見づらい。本発明は上記問題点を解決するためになされたものであり、時計又は携帯電話スマートフォンをセットすることが可能な超小型支持装置であり、携帯性と設置時の視認性を満足することを目的とする。
【課題を解決するための手段】
【０００７】
本出願人は前段に示した解決策以外に、本願発明者は他にない構造を持つ支持装置と懐中時計兼置時計を想到した。請求項に示した順番に沿って本願発明を説明する。
【０００８】
スマートフォンの視聴を容易にしたり、仕事用の時計の文字盤を見やすくするために、これら装置を実質水平面上に立てるための技術として、まず支持装置（図１）、次に特殊なからくりを持つ時計（図８）と携帯電話スマートフォン、両方を組み合わせた技術（図１１）で確実な自立を達成するという順番で記述する。
【０００９】
現在使用中の、時間表示可能な携帯電話スマートフォン、腕時計、を底面を実質的水平面に置くだけで、文字盤の角度が８０度又は６０度で自立した置き時計として文字盤を見れる超小型の支持装置（図１）を提供する。出願人は安定した設置が出来、かつ表示が見やすい最適の角度を発見しようと実験を重ね、ほぼ８０度、６０度の二つの角度を決定した。添付側面図や実際の使用写真で判るとうり（図３から６）、携帯電話スマートフォン、腕時計の重量は支持装置の底面を介して実質的水平面に上方よりかかり、安定して装置を支持することが出来る。
【００１０】
発明者が支持装置に求められる要件を列挙すると、小さいこと、軽いこと、頑丈なこと、設置撤収が容易なこと、スタイリッシュなことなどである。
【００１１】
本願発明の特徴は、仕事用の時計の文字盤の裏側、又は多機能時計でもあるスマートフォン型携帯電話で横表示の背面を、実質的水平面より８０度又は６０度の角度で立たせて背面中心に支持装置の荷重受容部を当てると接続固定することなく安定して支えることが出来ることにある。接続固定することなく、さらに安定的に自立させるためには摩擦係数の高い荷重受容部材で支える必要がある。摩擦係数の高い荷重受容部材としては、シリコン以外にウレタン、ゴムなどがある。さらに角度６０度の場合は、携帯電話スマートフォン、腕時計の実質的水平面に対する接触面が滑らないように、底部を引っ掛ける突起（図１の７）を支持装置底部に追加して設ける方法もある。通常支持装置は、その重量そのものによっても携帯電話スマートフォンを支えているが、本願発明は、重心ベクトルを分析して、安定的に支えているため重量は軽く、木製の場合の本願製品は６ｇ位しかない。携帯型の装置としてこの軽さは大きな利点である。前記の構造設計だけでも安定的に支えることは可能であるが、摩擦係数の高い荷重受容部材を介在させで支えることにより、支持を確実にしている点が本願発明の大きな特長である。
【００１２】
請求項２では仕事用の時計と、又は多機能時計でもあるスマートフォン型携帯電話と支持装置を固定する紐を備え、摩擦係数の高い荷重受容部材に隙間無く底面を密着させるために紐の長さが調整可能である。
【００１３】
携帯ストラップや根付けとして請求項２の支持装置を使用する場合、時計、スマートフォンに根付けとして取り付けるが、取り付けないで支持装置単体でも使用は可能。
更には、この請求項１及び２の支持装置は、外周の合計寸法が１１cmと小型なため、図７で示したようにベルトが付いた腕時計のベルト内部に設置することも出来、その形態で腕時計を支えることにより普通の状態の腕時計の表示面を見やすい角度に立たせることが可能である。
【００１４】
人間が使う道具なため、携帯電話スマートフォン、腕時計とも、外形、大きさとも個体差はあるがほぼ同じ製品が多いが、時計用、スマートフォン用とも、支持装置ＳＷＷＳは全ての携帯電話スマートフォン、腕時計に使用可能ではない。最大の安定を得るためには、個別の機種の寸法に合わせた個別の形状の支持装置が好ましい。その場合でも本願発明品は、大きさが小さいので、材料費の増加が少ない。
【００１５】
本願支持装置が支えられるのは、携帯電話スマートフォン、腕時計に限定されない、同じようなバランスを持つ物なら支えることが出来るし、取り付け紐穴に、固定具を差し込めば更に変化を付けることが出来る。例えば、模型、ミニカー、フィギュア等を実質水平面に置くだけでなく、色々な角度をつけて展示を楽しむことが出来る。
請求項１及び２で示した支持装置は、６０度８０度の角度を変えることは出来ないが、可動部分がないために、頑丈で壊れづらい。携帯電話スマートフォン、腕時計とも一日に何回も、使用するために、丈夫であることに対する要求はきわめて大きい。
似た用途の商品は、スマートフォンを完全に搭載出来る大きさを持つ台である。これらに比べて独自の構造を持つことにより超小型化を実現した本願支持装置は極端に小さく、軽い。請求項９で示した素材である木材、無色のシリコンゴム、シリコンゴム、無色の医療用シリコンゴム、医療用シリコンゴム、ウレタン、ゴム、ＣＦＲＰ（炭素繊維複合材），航空機用ジュラルミン、アルミニウム、チタン、透明のプラスチック、プラスチックは重量を軽くする条件に合致する。使用時の厚みは材料により異なるが、５〜１５ｍｍである。
【００１６】
発明人が想到した他にない構造を持つ懐中時計兼置時計とは時計ケースが、重量バランスを調整した結果、底面を実質的水平面に置くだけで、可動支持部を持つことなく文字盤の角度が８０度で自立し、コンピューター用ディスプレイ横の置き時計として文字盤を見れる設計で、携帯する場合は、ズボンの襠幅６cmのコインポケットや背広のミニポケットに容易に出し入れが可能な形状で懐中時計となる仕事用時計。
【００１７】
なぜ発明人は、時計が自立することが重要な要素と気が付いたか。従来事務仕事とは、実質水平面の机上に広げた書類を使用することを指していた。この場合時間を確認するのは、同じ平面上に時計の文字盤が向いているのが好都合であった。しかるに現代では、７０度から９０度位まで、ほぼ直立した角度のコンピューター用ディスプレイを使用することが多い、このような作業姿勢の場合、時計が自立し文字盤が、コンピューター用ディスプレイとほぼ同じ平面に並んでいると、時間の確認が容易となる。時計も時計塔の時計から、柱時計、置き時計、懐中時計、腕時計と変遷し、本願発明の仕事用時計が発生した。次にどんな時計が登場するか興味は尽きない。携帯性を確保するために重量を重く出来ない懐中時計を、置き時計として使用することは、実際は簡単なことではない。
可動部を設けることにより、立たせている懐中時計は従来よりある。時計技術者は、細やかな仕組みに長けた技術者が多く、自立するための支持機構を組み込むことになんの困難も感じないため、支持機構なしで、自立させるという基本設計にいたらなかったと推察される。先行技術として記載した。特許公開平09-297186 、実用新案 平08-007585 がこれにあたる。
【００１８】
本願発明者は、底面を実質的水平面に置くだけで、可動支持部を持つことなく文字盤の角度が８０度で自立した置き時計として文字盤を見れる設計を実現したことで、からくりのないからくり時計を発明した。これを自立式ビジネスウオッチＳＢＷ‐Ｓｔａｎｄｉｎｇ  Ｂｕｓｉｎｅｓｓ  Ｗａｔｃｈと命名する。
【００１９】
本願発明を製作するにあたり、日本で有数の歴史のある時計製造会社仮にＡ社とする、と打ち合わせを実施し、このような時計はその会社の二つある製造会社のどちらの担当か質問したところ、以下のような回答となった。「どちらでもなし」、と言うことになります。お請けできる可能性があるとすればＡ社ウォッチでしょうか。本来、腕時計や懐中時計はＡ社ウォッチの製造販売になり、掛、置、目覚ましはＡ社クロックの製造販売になります。工場も異なります。」この事実から判明することも、本願が発明であるという事実であり仕事用の時計（Ｂｕｓｉｎｅｓｓ  Ｗａｔｃｈ）と命名した。この時計は本願発明で追求している機能を持ち、主に事務職の男性用の商品で事務系の業務が多い企業人の時間管理を効率化する道具である。更に便利に使用するために、請求項２で記載したひもを調整して、ＳＷＷＳと時計、スマートフォンを密着させます。
【００２０】
一方、現場作業の多い作業員は腕時計が便利である。作業員は、袖口のない半袖であることが多く、厳しい現場での作業環境に耐える強度のある材料を使用し製作された作業用衣服では、腕時計の装着で、袖口が痛むことも少ない。
女性用は、ペンダント型を提供する。これは、時計を、ポケットに入れる性癖がないためで、更に軽くする必要もあり、文字盤の大きさは３７mm位である。
試作品では最大外形に配慮しながら高齢者向けに、見やすい大きな文字盤を備えている。
図９で示した製品の場合、ズボンの襠幅６cmのコインポケットに容易に出し入れが可能なように外径は５５mm以下にも拘わらず表示画面の直径は４５mmも有り、極めて時刻の視認が容易である。
【００２１】
本願発明は、可動部がないために、実質水平面に置くだけで直ちに使用出来るし、使用者が移動する際には、直ちにポケットなどに収納することが出来る。又可動部分が無いために、故障することが少ない。これらの特徴は、毎日、絶えず使用する日用品にとって大きな特長となる。
【００２２】
請求項４の構造で電池を単三電池とすることにより、重心位置が下がり自立状態を保つのが容易になる。ボタン電池より大きな電力を得られる事により、長時間の駆動や、多機能な機能の追加が可能となる。又単三電池は世界中で入手可能であり、装置の利便性が向上する。機能としては、温度計、ＬＥＤライト、各種のアラーム機能、携帯電話スマートフォンとの連携機能、世界時計などである。
［請求項１］乃至［請求項２］の何れかに記載した支持装置を、最大限活用するためには、簡単にベルトが取り外したり、取り付けられたりした方が好ましい。通常の腕時計においてはベルトを固定している棒バネが脱着しづらい。この棒バネ部の形状をベルト取り外し工具が使いやすい太い直径とすることで、棒バネ部脱着が容易となる。
【００２３】
請求項３及び４で記載した仕事用時計の背面の形状に合わせた支持装置により、仕事用時計の自立状態が更に安定する。３点支持となるので、ＳＷＷＳは厚さ10mm位の更に薄い製品とすることが出来る。時計を立たせて使用するという目的のための本願発明の数々は単独でも使用出来るし、組み合わせて効果を高めることも出来る。
【００２４】
請求項２の支持装置に備わっている調節可能の紐を請求項７では横表示位置の携帯電話スマートフォンの長手方向の周辺上部中央部に設けたストラップ取り付け穴に通し、その長さを調整し、携帯電話スマートフォンの背面中心点に、支持装置の摩擦係数の高い荷重受容部材に固着させることにより、安定した視聴状態を実現出来る。
【００２５】
請求項８は取り外し可能な、カーナビゲーションシステムの置き台のように、自動車、航空機、宇宙船、船、電車等の輸送機器の運転席に、運転従事者の請求項３及び４で記載した仕事用時計の自立させる支持装置である。
社員証としても使用出来る。電子タグを埋め込みＩＣ社員証とする、  木製の場合一つずつ異なる木目でも一人一人の認証が出来ます。
【００２６】
以上この発明の実施の形態について説明したが、この発明はこうした実施の形態に何等限定されるものではなく、この発明の要旨を逸脱しない範囲において種々なる形態で実施しうることは勿論である。
【発明の効果】
【００２７】
この発明は、以上説明した形態で実施され、以下に記載されるような効果を奏する。
試作品の評価試験を実施した結果、事前の予想以上に時間管理品質が向上することにより極めて仕事の品質が向上することが判明した。絶えず持ち歩ける置き時計ＳＢＷ‐Ｓｔａｎｄｉｎｇ  Ｂｕｓｉｎｅｓｓ  Ｗａｔｃｈがあると、出願人が製品化した、破れないメモ用紙を同時に活用することにより、業務の効率が、手帳だけを使用するより、改善される。気に入った背広やワイシャツが長持ちする。
傾斜腕時計台、ＳＷＷＳ‐Ｓｌａｎｔ  Ｗｒｉｓｔ  Ｗａｔｃｈ  Ｓｔａｎｄは厚みが、２cm以下であるのでメール便で発送が可能である。
粘着材を荷重受容部材に使用しないで支持出来るために、時計からの脱着が容易に出来る。
【図面の簡単な説明】
【００２８】
【図１】超小型支持装置
【図２】本発明品の画像１
【図３】携帯電話スマートフォンに取り付け８０度で立つように支えている発明品
【図４】携帯電話スマートフォンに取り付け６０度で立つように支えている発明品
【図５】ベルトを外した腕時計に取り付けて８０度で立つように支えている発明品
【図６】ベルトを外した腕時計に取り付けて６０度で立つように支えている発明品
【図７】腕時計のベルト内側に取り付けて８０度で立つように支えている発明品
【図８】発明品の正面図、側面図
【図９】発明品の画像２正面
【図１０】発明品の画像３背面
【図１１】図１及び図８で示した二つの発明品を合体させ安定した支持状態の正面画像
【図１２】図１及び図８で示した二つの発明品を合体させ安定した支持状態の正面画像
【符号の説明】
【００２９】
１  超小型支持装置
２  ８０度で立つように支える荷重受容部材
３  取り付け紐
４  ６０度で立つように支える荷重受容部材
５  取り付け紐端収納部
６  結んだ紐端
７  腕実質的水平面に対する接触面が滑らないように、底部を引っ掛ける突起
８  机などの実質的水平面に接する底面
【図１】
2014009978.tif 000003
【図２】
2014009978.tif 000004
【図３】
2014009978.tif 000005
【図４】
2014009978.tif 000006
【図５】
2014009978.tif 000007
【図６】
2014009978.tif 000008
【図７】
2014009978.tif 000009
【図８】
2014009978.tif 000010
【図９】
2014009978.tif 000011
【図１０】
2014009978.tif 000012
【図１１】
2014009978.tif 000013
【図１２】
2014009978.tif 000014